(57)【要約】【課題】ファンガードを設けるタイプの軸流ファンモータにおいて、ファンガードによる騒音の低減化および風量低下の低減化を図ることができるファンガード一体化軸流ファンモータを提供する。【解決手段】ファンケース面のファンガードは、多数の上面吹出口５を持つとともに側面方向に対しても多数の側面吹出口２を備えている。ロータファンでファンケース１の反対面から吸い込んだ空気は、上面吹出口５に加えて側面吹出口２からも排出されるため騒音の低下と十分な吹出風量を確保できる。【選択図】図１
2007211749.tif 000002
【特許請求の範囲】
【請求項１】
ロータの円周面に多数の羽根を植設し、該ロータをファンケースに収容し該ファンケースの一面から空気を吸い込み、他面に吹き出す構造のファンモータにおいて、
空気吹出側ファンケース面に、ファンケースに一体化してファンガードを形成し、
該ファンガードは、空気吹出側ファンケース面に対し同じ方向に上面吹出口を有するととも直角方向にも側面吹出口を有することを特徴とするファンガード一体化軸流ファンモータ。
【請求項２】
ロータの円周面に多数の羽根を植設し、該ロータをファンケースに収容し該ファンケースの一面から空気を吸い込み、他面に吹き出す構造のファンモータにおいて、
空気吸込側ファンケース面に、ファンケースに一体化してファンガードを形成し、
該ファンガードは、空気吸込側ファンケース面に対し同じ方向に上面吸込口を有するととも直角方向にも側面吸込口を有することを特徴とするファンガード一体化軸流ファンモータ。
【請求項３】
前記ファンガードは、ファンケース面に複数個のファンガード基部を有し、
該ファンガード基部を区切りとして多数の側面吹出口を有し、
前記ファンガード基部間を支柱で掛け渡すことによりファンガード連結部を形成し、
該ファンガード連結部とファンガード中央の覆部の間を多数の支柱で掛け渡すことにより多数の上面吹出口を形成したことを特徴とする請求項１または２記載のファンガード一体化軸流ファンモータ。
【請求項４】
前記ロータの円周面に多数の羽根を植設してなるロータ部は、前記羽根の根元の一部と前記ロータの円周面との間に空間部を有することを特徴とする請求項１，２または３記載のファンガード一体化軸流ファンモータ。
【発明の詳細な説明】
【技術分野】
【０００１】
本発明は、ファンガードの形状を改良して低騒音化を図り風量低下を防止できる軸流ファンモータに関する。
【背景技術】
【０００２】
図６は、従来のファンモータのケースの一例を示す斜視図である。
従来のファンモータのケース３２はモータを保護するために空気吹出面にファンガード３１を一体化して設けてある。そのため、空気吹出の際、吹出空気がファンガード３１に衝突して騒音を発生させていた。また、空気の吹出量も吹出面積が制限されるため、風量低下を招いていた（特許文献１）。
【０００３】
図７は、従来のファンモータの他のファンガードの構成例を示す平面図である。
この例はファンガード３３をファンケースに一体ではなく、個別の部品として構成し、止め孔３４によってファンケースの空気吹出口に取り付けるものである。
この構成は、図６のものとファンガードの形成方法が異なるのみで、形状は図６と略同様で、やはり上記のような騒音および風量低下を招くものであった（特許文献２）。
【０００４】
本件出願人は、騒音および風量低下を防止する構造として特許文献３に示すようなファッモータベンチュリ構造を提案している。
この提案は遮蔽物に近接してファン吸込口を設ける場合、効率良く風を流すことができるベンチュリー構造であり、設置条件が厳しい場合の構成で、ファンガードを設けることを前提としていないものである。
【特許文献１】特開２００１−３９００号公報
【特許文献２】特開平１０−２６０７５４号公報
【特許文献３】特開２００４−６８７１１号公報
【発明の開示】
【発明が解決しようとする課題】
【０００５】
本発明の目的は、ファンガードを設けるタイプの軸流ファンモータにおいて、ファンガードによる騒音の低減化および風量低下の低減化を図ることができるファンガード一体化軸流ファンモータを提供することにある。
【課題を解決するための手段】
【０００６】
前記目的を達成するために本発明の請求項１は、ロータの円周面に多数の羽根を植設し、該ロータをファンケースに収容し該ファンケースの一面から空気を吸い込み、他面に吹き出す構造のファンモータにおいて、空気吹出側ファンケース面に、ファンケースに一体化してファンガードを形成し、該ファンガードは、空気吹出側ファンケース面に対し同じ方向に上面吹出口を有するととも直角方向にも側面吹出口を有することを特徴とする。
本発明の請求項２は、ロータの円周面に多数の羽根を植設し、該ロータをファンケースに収容し該ファンケースの一面から空気を吸い込み、他面に吹き出す構造のファンモータにおいて、空気吸込側ファンケース面に、ファンケースに一体化してファンガードを形成し、該ファンガードは、空気吸込側ファンケース面に対し同じ方向に上面吸込口を有するととも直角方向にも側面吸込口を有することを特徴とする。
本発明の請求項３は、請求項１または２記載の発明において前記ファンガードは、ファンケース面に複数個のファンガード基部を有し、該ファンガード基部を区切りとして多数の側面吹出口を有し、前記ファンガード基部間を支柱で掛け渡すことによりファンガード連結部を形成し、該ファンガード連結部とファンガード中央の覆部の間を多数の支柱で掛け渡すことにより多数の上面吹出口を形成したことを特徴とする
本発明の請求項４は、請求項１，２または３記載の発明において前記ロータの円周面に多数の羽根を植設してなるロータ部は、前記羽根の根元の一部と前記ロータの円周面との間に空間部を有することを特徴とする。
【発明の効果】
【０００７】
上記構成によれば、ファンガードの影響による騒音の低減化および風量低下防止を図ることができる。また、ロータと羽根の根元の間に空間部を有するロータ部を収容することにより、さらに騒音の低減化および風量低下防止を図ることができる。
【発明を実施するための最良の形態】
【０００８】
以下、図面を参照して本発明の実施の形態を詳しく説明する。
図１は、本発明によるファンガード一体化軸流ファンモータのファンケースの実施の形態を示す斜視図である。
ファンケース１の外形は矩形形状であり、中央部のロータ収容部１ｂの形状は円柱形である。ファンケース１の４隅にはファンを固定するための止め孔１ａが設けられている。ファンケース１の上面が吹出側であり、この部分にファンガード４が一体に形成されている。
ファンケース上面の、ロータ収容部１ｂの円周部の脇に多数のファンガード基部４ａを有し、各ファンガード基部４ａの間はロータ収容部１ｂの円周側面に沿って支柱が掛け渡されリング状のファンガード連結部４ｂが形成されている。
【０００９】
リング状のファンガード連結部４ｂからモータステータ部４ｄに向けて多数のファンガード支柱４ｃが掛け渡されている。ファンケース１の上面，ファンガード基部４ａおよびファンガード連結部４ｂで囲まれる部分が、ファンケース１の上面に対し直角方向に形成される多数の側面吹出口２となる。また、モータステータ部４ｄの円周側面，ファンガード支柱４ｃおよびファンガード連結部４ｂで囲まれる部分がファンケース１の上面方向に形成される多数の上面吹出口５となる。
【００１０】
ロータファンによってファンケース１の反対面から吸い込んだ空気は、上面吹出口５から排出される他、側面吹出口２からも排出される。そのため、ファンガードに衝突する空気は少なくなり、騒音を低下させることができる。また、側面吹出口２からも排出させているため、風量も十分確保することができる。
【００１１】
図２は、本発明によるファンガード一体化軸流ファンモータに収容するロータ部および羽根部分の実施の形態を説明するための図で、羽根一枚を記載した図である。
ロータ部１１は、周囲に羽根１２が植設される円柱１１ａの上面に、該円柱１１ａより直径の小さい円柱１１ｂを取り付けた形状に構成されている。羽根２の上部縁部１２ｂとロータ１１ｂの上面とは略同じ高さになっている。
モータを側面から見た場合の羽根の投影形状は矩形状になっており、羽根１２と円柱１１ｂの周面との間には空間部１３が形成されている。
羽根１２の側面１２ｃは曲面であり、反対側の側面１２ｄは平面形状である。なお、反対側の側面１２ｄは、側面１２ｃの曲面の曲率とは同じまたは異なる曲率の曲面構造にすることもできる。
【００１２】
図３は、図１のファンケースに図２のロータ部を組み込んだファンモータの側面断面図である。図４は、その斜視図である。
ロータ部１１のモータステータ部４ｄはファンケース１４のロータ収容部１ｂの中央に配置されている。ロータ部１１の円柱１１ｂの円周面と羽根１２の根元上部１２ｅとの間に空間部１３を形成することにより羽根空気取り込み範囲を羽根上部縁部１２ｂ側だけでなく、羽根の根元上部１２ｅと円柱１１ｂの間にも設定することにより空気取り込み量は従来に比較し大きく負荷の増加に対し、多量の空気を吸い込むことが可能である。
【００１３】
そしてファンケース１の吹出側のファンガード４の形状により、多数の上面吹出口５から空気が排出され、しかも多数の側面吹出口２からも空気が排出される。
吸込側は羽根上部縁部１２ｂ側だけでなく空間部１３から空気を取り入れることができるので吸込むことができる風量は十分であり、また、吹出側は多数の上面吹出口５だけでなく、多数の側面吹出口２からも十分な風量を排出できるため、吸込側および吹出側のそれぞれの騒音低減化および風量低下防止の相乗効果により、一層の騒音低減化および風量低下防止の効果を有する。
【００１４】
図５は、本発明によるファンガード一体化軸流ファンモータの他の実施の形態を示す斜視図である。
この実施の形態は、ファンガードをファンケースの吸込側に設けた例である。
ファンガード２３の構成は、中央部分のファンガート中央支柱２３ｄの構成が異なる点を除いて図３のファンガード４の構成と同一である。ファンガード基部２３ａ，ファンガード連結部２３ｂおよびファンガード支柱２３ｃは、ファンガード基部４ａ，ファンガード連結部４ｂおよびファンガード支柱４ｃにそれぞれ対応する。
【００１５】
ファンガード中央支柱２３ｄは、板状ではなく、リング状の支柱から内側に向けて多数の支柱を延出させ中央部で結合させた構造である。図１のファンガードロータ保護部４ｄと異なり肉抜き構造にして軽量化を図ることができる。
ファンケース２４内に収容するロータ部は、図３のロータ部１１とは上下が反対となるように取り付けられる。
吸引側に本発明によるファンガードが設けられ、かつロータ部も十分な風量を吸い込むことができる構造であるので、本発明によるファンガードのみを設けた場合に比較し、一層の騒音低減化を促進でき風量低下を防止できる。
【００１６】
以上の実施の形態は、ロータ部円周面と羽根の間に空間部を有する特別なロータ構造のファンを収容した例を示したが、ロータ部の構造は特別な構成でなく、通常構成のものを組み込んでも、本発明にかかるファンガードの効果は生じるものである。
【産業上の利用可能性】
【００１７】
ファンガード付き小形軸流ファンモータとして使用される。
【図面の簡単な説明】
【００１８】
【図１】本発明によるファンガード一体化軸流ファンモータのファンケースの実施の形態を示す斜視図である。
【図２】本発明によるファンガード一体化軸流ファンモータに収容するロータ部および羽根部分の実施の形態を説明するための図で、（ａ）は側面図，（ｂ）は斜視図である。
【図３】図１のファンケースに図２のロータ部を組み込んだファンモータの側面断面図である。
【図４】図１のファンケースと図２のロータ部を組み込んだファンモータの斜視図である。
【図５】本発明によるファンガード一体化軸流ファンモータの他の実施の形態を示す斜視図である。
【図６】従来のファンモータのケースの一例を示す斜視図である。
【図７】従来のファンモータの他のファンガードの構成例を示す平面図である。
【符号の説明】
【００１９】
１，２４  ファンケース
１ａ  止め孔
２    側面吹出口  
３  切欠部からの風の流れ
４，２３  ファンガード
４ａ，２３ａ  ファンガード基部
４ｂ，２３ｂ  ファンガード連結部
４ｃ，２３ｃ  ファンガード支柱
４ｄ  モータステータ部
５  上面吹出口
１１  ロータ部
１２  羽根
１３  空間部
２１  上面からの吸込の風の流れ
２２  側面吸込口
２５  上面吸込口
【図１】
2007211749.tif 000003
【図２】
2007211749.tif 000004
【図３】
2007211749.tif 000005
【図４】
2007211749.tif 000006
【図５】
2007211749.tif 000007
【図６】
2007211749.tif 000008
【図７】
2007211749.tif 000009